(57)【要約】【課題】  購入意欲を掻き立てる程の新鮮味のある電子機器を提供すること。【解決手段】  本発明を適用したデジタルカメラ１には二つの撮像ユニット５が設けられており、どちらの撮像ユニット５もイメージセンサ７及びレンズユニット８から構成されている。これら撮像ユニット５は光軸に直交する軸回りに回転自在となっている。デジタルカメラ１には立体的表示ユニット１０が設けられている。立体的表示ユニット１０は液晶ディスプレイパネル１１とバックライト機構２１から構成されている。右の撮像ユニット５で撮像された画像が液晶ディスプレイ１１で表示されている時には、バックライト機構２１の光が右目に入射し、左の撮像ユニット５で撮像された画像が液晶ディスプレイパネル１１で表示されている時には、バックライト機構２１の光が左目に入射し、これが繰り返される。【選択図】図１
2005073038.tif 000002
【特許請求の範囲】
【請求項１】
視差を生じる左目用画像と右目用画像を生成するように、互いに離れた二箇所から撮像する撮像手段と、
前記撮像手段により撮像された左目用画像及び右目用画像を交互に表示し、表示した左目用画像をユーザの左目に到達させるとともに表示した右目用画像をユーザの右目に到達させることにより、立体的に画像をユーザに見せる立体的表示手段と、を備えることを特徴とする立体的表示機能付電子機器。
【請求項２】
前記撮像手段が互いに離れた位置に設けられた二つの撮像ユニットを具備し、少なくとも一方の撮像ユニットがその撮像ユニットの光軸に直交する軸回りに回転自在に設けられたことを特徴とする請求項１に記載の立体的表示機能付電子機器。
【請求項３】
前記二つの撮像ユニットの光軸が同一の面内にあることを特徴とする請求項２に記載の立体的表示機能付電子機器。
【請求項４】
前記二つの撮像ユニットの光軸が互いに平行になり得ることを特徴とする請求項２又は３に記載の立体的表示機能付電子機器。
【請求項５】
前記少なくとも一方の撮像ユニットをその光軸回りに回転駆動する駆動機構を更に備えることを特徴とする請求項２から４の何れか一項に記載の立体的表示機能付電子機器。
【請求項６】
前記立体的表示手段が、
画像の表示を行う透過型の液晶ディスプレイパネルと、
前記液晶ディスプレイパネルの表示面の背面に対向配置され、前記液晶ディスプレイパネルの表示面に垂直な垂線を中心に挟んだ二方角に出射光のピークを持つ配光特性を有し、一方の方角をピークとした出射光と他方の方角をピークとした出射光を別々に前記液晶ディスプレイパネルの背面に向けて放射するバックライト機構と、
を具備することを特徴とする請求項１から５の何れか一項に記載の立体的表示機能付電子機器。
【請求項７】
前記液晶ディスプレイパネルに右目用画像と左目用画像を交互に表示させるとともに、前記液晶ディスプレイパネルが右目用画像を表示する時には前記バックライト機構に一方の方角をピークとした出射光を放射させ、前記液晶ディスプレイパネルが左目用画像を表示する時には前記バックライト機構に他方の方角をピークとした出射光を放射させる表示制御手段を更に備えることを特徴とする請求項６に記載の立体的表示機能付電子機器。
【請求項８】
前記表示制御手段は、右目用画像と左目用画像のうちの一方を前記液晶ディスプレイパネルに表示させるとともに前記バックライト機構に両方の方角をピークとした出射光を放射させることを特徴とする請求項７に記載の立体的表示機能付電子装置。
【請求項９】
前記撮像手段により撮像された右目用画像中の被写体の像の位置を検出する第一位置検出手段と、
前記撮像手段により撮像された左目用画像中の被写体の像の位置を検出する第二位置検出手段と、
前記第一位置検出手段によって検出された位置と前記第二位置検出手段によって検出された位置とから被写体の視差を求め、該視差に基づき被写体までの距離を求める測距手段と、を更に備えることを特徴とする請求項１から８の何れか一項に記載の立体的表示機能付電子機器。
【請求項１０】
前記第一位置検出手段及び第二位置検出手段は、前記立体的表示手段の表示面に設けられたタッチパネルに対するタッチ位置から画像中の被写体の像の位置を検出することを特徴とする請求項９に記載の立体的表示機能付電子機器。
【請求項１１】
前記撮像手段により撮像された左目用画像及び右目用画像を外部機器に転送する転送手段を更に備えることを特徴とする請求項１から１０の何れか一項に記載の立体的表示機能付電子機器。
【発明の詳細な説明】
【技術分野】
【０００１】
本発明は、撮像機能を有した電子機器であって、撮像した画像を特殊なメガネを用いることなく立体的にユーザに見せるための立体的表示機能付電子機器に関する。
【背景技術】
【０００２】
近年、携帯電話機、ノート型パソコン、ＰＤＡ（Personal Digital Assistant）、デジタルカメラ等の様々な電子機器が開発され、電子機器の高性能化が進んでいる。電子機器の高性能化に伴って電子機器が多機能化され、電子機器の種別の垣根がなくなってきているが、その代表的なものとして所謂デジタルカメラ機能付携帯電話機があり、携帯電話機のデジタルカメラ機能はデジタルカメラ単体の性能に遜色のないものとなってきている。このようななか、各社は消費者に対して自社の電子機器の購入意欲を掻き立てるために、種々の電子機器の研究開発に余念がない。例えば、イメージセンサ（撮像素子）を備えたデジタルカメラが開発され、複数のレンズを用いてイメージセンサで同時に又は時間差をもって複数の画像を撮像することができるようになっている（例えば、特許文献１参照。）。
【特許文献１】特開２０００−２０１２８６号公報
【発明の開示】
【発明が解決しようとする課題】
【０００３】
しかしながら、特許文献１に記載されたデジタルカメラは高性能にはなっているがその分デジタルカメラが高価になってしまい、イメージセンサで複数の画像を撮像するだけでは、割高な出費を犠牲にしてまでの購入意欲を消費者に掻き立てる程の新鮮味に欠ける。
また、撮像した複数の画像をその場で表示すれば便利になり、更には複数の画像を用いて単数の画像では不可能な映像効果を実現することも考えられるが、特許文献１に記載されたデジタルカメラには表示について何等記載されていない。そのため、何らかの工夫が必要である。
【０００４】
そこで、本発明は、上記のような問題点を解決しようとしてなされたものであり、撮像した画像に映像効果を加えて表示することによって、興趣性のある電子機器を提供することを目的とする。
【課題を解決するための手段】
【０００５】
以上の課題を解決するために、請求項１に記載の発明のように、視差を生じる左目用画像と右目用画像を生成するように、互いに離れた二箇所から撮像する撮像手段と、前記撮像手段により撮像された左目用画像及び右目用画像を交互に表示し、表示した左目用画像をユーザの左目に到達させるとともに表示した右目用画像をユーザの右目に到達させることにより、立体的に画像をユーザに見せる立体的表示手段と、を備える立体的表示機能付電子機器を提供する。
【０００６】
請求項１に記載の発明では、ユーザがこの立体的表示機能付電子機器で撮影を行えば、撮像手段で左右の画像が生成され、それら画像が立体的表示手段で交互に表示されるが、左目用画像がユーザに左目に到達し、右目用画像がユーザの右目に到達する。そのため、ユーザは左右の目で見る画像に視差を感じ、立体的表示手段に表示される画像を立体的に感じる。従って、ユーザが本発明の立体的表示機能付電子機器を用いて撮影すれば、立体的な画像を撮影したその場で見ることができる。
【０００７】
請求項２に記載の発明は、請求項１に記載の立体的表示機能付電子機器において、前記撮像手段が互いに離れた位置に設けられた二つの撮像ユニットを具備し、少なくとも一方の撮像ユニットがその撮像ユニットの光軸に直交する軸回りに回転自在に設けられたことを特徴とする。
【０００８】
請求項２に記載の発明では、二つの撮像ユニットが互いに離れた位置に設けられているため、二つの撮像ユニットで撮像すると、視差の生じる左目用画像と右目用画像を生成することができる。一方の撮像ユニットがその光軸に直交する軸回りに回転自在に設けられているため、その一方の撮像ユニットの撮像する向きを調整することができ、例えば他方の撮像ユニットの光軸に対して一方の撮像ユニットの光軸を平行にしたり、二つの撮像ユニットの光軸を交差させその交差角度を調整したりすることができる。
【０００９】
請求項３に記載の発明は、請求項２に記載の立体的表示機能付電子機器において、前記二つの撮像ユニットの光軸が同一の面内にあることを特徴とする。
【００１０】
請求項３に記載の発明では、二つの撮像ユニットの光軸が同一面内にあるため、二つの撮像ユニットの光軸がねじれの関係にならない。
【００１１】
請求項４に記載の発明は、請求項２又は３に記載の立体的表示機能付電子機器において、前記二つの撮像ユニットの光軸が互いに平行になり得ることを特徴とする。
【００１２】
請求項４に記載の発明では、二つの撮像ユニットが互いに離れており、二つの撮像ユニットの光軸が互いに平行になり得るため、二つの撮像ユニットで撮像すると、視差の生じる左目用画像と右目用画像を生成することができる。
【００１３】
請求項５に記載の発明は、請求項２から４の何れか一項に記載の立体的表示機能付電子機器において、前記少なくとも一方の撮像ユニットをその光軸回りに回転駆動する駆動機構を更に備えることを特徴とする。
【００１４】
請求項５に記載の発明では、駆動機構によって一方の撮像ユニットを手動では無く自動で回転することができる。
【００１５】
請求項６に記載の発明は、請求項１から５の何れか一項に記載の立体的表示機能付電子機器において、前記立体的表示手段が、画像の表示を行う透過型の液晶ディスプレイパネルと、前記液晶ディスプレイパネルの背面に対向配置され、前記液晶ディスプレイパネルの表示面に垂直な垂線を中心に挟んだ二方角に出射光のピークを持つ配光特性を有し、一方の方角をピークとした出射光と他方の方角をピークとした出射光を別々に前記液晶ディスプレイパネルの背面に向けて放射するバックライト機構と、を具備することを特徴とする。
【００１６】
請求項６に記載の発明では、一方の方角をピークとした出射光がバックライト機構によって透過型液晶ディスプレイパネルの背面に向けて放射されると、液晶ディスプレイパネルを透過した光は液晶ディスプレイの正面に向いたユーザの一方の目に入射する。一方、他方の方角をピークとした出射光が液晶ディスプレイパネルの背面に向けて放射されると、液晶ディスプレイパネルを透過した光はユーザの他方の目に入射する。従って、液晶ディスプレイパネルに表示される画像がユーザの左右の目に別々に映る。
【００１７】
請求項７に記載の発明は、請求項６に記載の立体的表示機能付電子機器において、前記液晶ディスプレイパネルに右目用画像と左目用画像を交互に表示させるとともに、前記液晶ディスプレイパネルが右目用画像を表示する時には前記バックライト機構に一方の方角をピークとした出射光を放射させ、前記液晶ディスプレイパネルが左目用画像を表示する時には前記バックライト機構に他方の方角をピークとした出射光を放射させる表示制御手段を更に備えることを特徴とする。
【００１８】
請求項７に記載の発明では、撮像手段で撮像された左目用画像が液晶ディスプレイパネルに表示されている時には、一方の方角をピークとした出射光が液晶ディスプレイパネルを介してユーザの左目に入射する。一方、撮像手段で撮像された右目用画像が液晶ディスプレイパネルに表示されている時には、他方の方角をピークとした出射光が液晶ディスプレイパネルを介してユーザの右目に入射する。従って、撮像手段で撮像された視差のある両方の画像がユーザの左右の目に別々に映る。
【００１９】
請求項８に記載の発明は、請求項７に記載の立体的表示機能付電子機器において、前記表示制御手段は、右目用画像と左目用画像のうちの一方を前記液晶ディスプレイパネルに表示させるとともに前記バックライト機構に両方の方角をピークとした出射光を放射させることを特徴とする。
【００２０】
請求項８に記載の発明では、両方の方角をピークとした出射光がバックライト機構によって透過型液晶ディスプレイパネルの背面に向けて放射されると、液晶ディスプレイパネルを透過した光は液晶ディスプレイの正面に向いたユーザの両目に入射する。従って、液晶ディスプレイパネルに表示される左目用画像又は右目用画像の一方がユーザの両目に映る。
【００２１】
請求項９に記載の発明は、請求項１から８の何れか一項に記載の立体的表示機能付電子機器において、前記撮像手段により撮像された右目用画像中の被写体の像の位置を検出する第一位置検出手段と、前記撮像手段により撮像された左目用画像中の被写体の像の位置を検出する第二位置検出手段と、前記第一位置検出手段によって検出された位置と前記第二位置検出手段によって検出された位置とから被写体の視差を求め、該視差に基づき被写体までの距離を求める測距手段と、を更に備えることを特徴とする。
【００２２】
請求項９に記載の発明では、ユーザがこの立体的表示機能付電子機器で撮影を行えば、撮像手段で左右の画像が生成され、それら左右の画像から被写体までの距離を求めることができる。
【００２３】
請求項１０に記載の発明は、請求項９に記載の立体的表示機能付電子機器において、前記第一位置検出手段及び第二位置検出手段は、前記立体的表示手段の表示面に設けられたタッチパネルに対するタッチ位置から画像中の被写体の像の位置を検出することを特徴とする。
【００２４】
請求項１０に記載の発明では、ユーザがタッチパネルをタッチすれば、画像中の被写体の像を抽出することができ、左右の画像の対応関係も簡単に求めることができる。
【００２５】
請求項１１に記載の発明は、請求項１から１０の何れか一項に記載の立体的表示機能付電子機器において、前記撮像手段により撮像された左目用画像及び右目用画像を外部機器に転送する転送手段を更に備えることを特徴とする。
【００２６】
請求項１１に記載の発明では、撮像手段で撮像された両方の画像が外部機器に転送される。
【発明の効果】
【００２７】
請求項１に記載の発明によれば、立体的表示機能付電子機器の立体的映像効果によってユーザが立体的な画像を撮影したその場で見ることができるため、立体的表示機能付電子機器は興趣性のあるものとなり、購入意欲を掻き立てる程の新鮮味が増す。
【００２８】
請求項２に記載の発明によれば、その一方の撮像ユニットの撮像する向きを調整することができ、一方の撮像ユニットで撮像した画像に対する他方の撮像ユニットで撮像した画像の視差を調整することができる。そのため、立体的表示手段で表示される画像の立体感を調整することができ、例えば立体的表示機能付電子機器から遠くに離れた被写体の像をより立体感のあるように見せたり、立体的表示機能付電子機器の近くにある被写体の像を適度な立体感で見やすくしたりすることができる。
【００２９】
請求項３に記載の発明によれば、二つの撮像ユニットの光軸がねじれの位置の関係にならないため、例えば一方の撮像ユニットで撮像した画像が他方の撮像ユニットで撮像した画像に対して水平にずれたものとなる。一方の撮像ユニットで撮像した画像が他方の撮像ユニットで撮像した画像に対して左右の水平にずれたものとなるため、視差の水平方向に視差のある二つの画像が得られる。そのため、ユーザにとっては立体的な画像を最も見やすい。
【００３０】
請求項４に記載の発明によれば、視差の生じる左目用画像と右目用画像を生成することができるため、立体的表示手段で表示される画像はユーザにとって立体感のあるものとなる。
【００３１】
請求項５に記載の発明によれば、駆動機構によって一方の撮像ユニットを自動で回転することができるため、他方の撮像ユニットの向きに対して一方の撮像ユニットの向きを容易に調整することができる。
【００３２】
請求項６に記載の発明によれば、液晶ディスプレイパネルに表示される画像が絶縁されて別々にユーザの目に映るため、立体感のある画像としてユーザに見せることができる。
【００３３】
請求項７に記載の発明によれば、液晶ディスプレイパネルに表示される左目用画像が右目用画像とは絶縁されてユーザの左目に映り、液晶ディスプレイパネルに表示される右目用画像が左目用画像とは絶縁されてユーザの右目に映るから、立体感のある画像としてユーザに見せることができる。
【００３４】
請求項８に記載の発明によれば、液晶ディスプレイパネルに表示される左目用画像又は右目用画像の一方がユーザの両目に映るから、ユーザにとっては平面的な画像として見ることができる。つまり、撮像手段で撮像された画像を立体的表示手段で立体的に表示することもできる上、平面的に表示することもできる立体的表示機能付電子機器を提供することができる。
【００３５】
請求項９に記載の発明によれば、ユーザが本発明の立体的表示機能付電子機器を用いて撮影すれば、立体的表示機能付電子機器から被写体までの距離を撮影したその場で求めることができる。そして、単に撮像機能・表示機能のみならず測距機能もある立体的表示機能付電子機器を提供することができるため、購入意欲を掻き立てる程の新鮮味が増す。
【００３６】
請求項１０に記載の発明によれば、ユーザによって画像中の被写体の像が抽出されるので、ユーザによって左右の画像の対応関係も求められるので、被写体までの距離を測定するアルゴリズムが簡単になる。
【００３７】
請求項１１に記載の発明によれば、撮像手段で撮像された両方の画像が外部機器に転送されるので、外部機器において画像を有効利用することができる。
【発明を実施するための最良の形態】
【００３８】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００３９】
図１は、本発明を適用した立体的表示機能付電子撮像装置１（以下、単にデジタルカメラ１と略称する。）の正面側を斜め上から見て示した斜視図であり、図２は、デジタルカメラ１の背面側を斜め上から見て示した斜視図である。
【００４０】
このデジタルカメラ１は薄型の筐体２を有し、筐体２の正面２ａ及び背面２ｂの上部にはファインダ３が設けられている。筐体２の正面２ａであって図１の図示方向でファインダ３の左側には、撮影時に発光するストロボ４が設けられている。
【００４１】
筐体２の上部の左右それぞれには撮像ユニット５，５が設けられており、両方の撮像ユニット５，５から撮像手段が構成されている。どちらの撮像ユニット５も、レンズ筐体６と、レンズ筐体６の内部に設けられたイメージセンサ７と、イメージセンサ７の受光面に略垂直な光軸を有するとともにイメージセンサ７に被写体の像を結像するレンズユニット８と、を具備する。なお、図２の図示方向で左の撮像ユニット５にＬを括弧書きで付し、右の撮像ユニット５にＲを括弧書きで付す。
【００４２】
イメージセンサ７は、受光量に応じた電気信号に変換するフォトダイオード、フォトトランジスタ等の光電変換素子が画素として二次元アレイ状に配列されたものである。イメージセンサ７としては、ＣＣＤ型撮像素子、ＣＭＯＳ型撮像素子、ＭＯＳ型撮像素子等を利用することができる。イメージセンサ７はグレースケールの画像を取得するものであっても良いし、カラー画像を取得するものであっても良い。なお、一方の撮像ユニット５のイメージセンサ７が他方の撮像ユニット５のイメージセンサ７と同じであり、どちらのイメージセンサ７も感度、特性、有効画素数等が同じであるのが望ましい。
【００４３】
レンズユニット８はレンズ筐体６に組み込まれている。レンズユニット８は結像作用を有するものであれば、単レンズの枚数、群数は特に限定されず、一枚の単レンズからなるものであっても良いし、複数の単レンズを組み合わせたものであっても良い。また、レンズユニット８は、焦点距離が変化しない固定焦点式のレンズユニットであっても良いし、焦点距離が変化するズーム方式のレンズユニットであっても良い。また、レンズユニット８は、イメージセンサ７の受光面（結像面）から物体面までの距離を変化させるフォーカス機構付レンズユニットであっても良いし、深い被写界深度に設定されたパンフォーカス式のレンズユニットであっても良い。また、レンズユニット８には、Ｆナンバーを規定する絞り機構が設けられていても良い。なお、一方の撮像ユニット５のイメージセンサ７が他方の撮像ユニット５のイメージセンサ７と同じである場合、どちらのレンズユニット８，８も同じでものであり、レンズユニット８，８の光学的特性（焦点距離、イメージセンサ７の受光面から物体面までの距離、収差等）が同じであるのが望ましい。
【００４４】
以上のように構成された撮像ユニット５は上下方向の軸（この軸は、レンズユニット８の光軸に対して直交している。）回りに回転自在となって筐体２に取り付けられており、撮像ユニット５が正面を向いてレンズユニット８の光軸が筐体２の正面２ａの面方向に垂直となる状態を中心にして撮像ユニット５を左右に振れるようになっている。ここで、上から下に向かって見た場合、撮像ユニット５の回転範囲は、レンズユニット８の光軸が筐体２の正面２ａの面方向に対して垂直となる角度を中心にして時計回りに０〜１０°、反時計回りに０〜１０°であり、その範囲を超えて回転しないようにストッパ（図示略）によって規制されている。以下では撮像ユニット５の回転角度は、撮像ユニット５が正面を向いてレンズユニット８の光軸が筐体２の正面２ａの面方向に垂直となる状態を０°で表し、それよりも反時計回り側を正で表し、逆に時計回り側を負で表す。
【００４５】
一方の撮像ユニット５（Ｒ）の回転軸は他方の撮像ユニット５（Ｌ）の回転軸と平行である。また、両方の撮像ユニット５，５は回転軸に沿った位置が揃っており、撮像ユニット５，５が回転軸回りに回転しても撮像ユニット５，５の光軸は常に同一の面内にある。つまり、撮像ユニット５，５の光軸は平行又は交差し、ねじれの位置の関係にはならない。
【００４６】
また、撮像ユニット５又は筐体２には、撮像ユニット５を固定して撮像ユニット５を回転させないようにするロック機構（図示略）が設けられているが、ロック機構は撮像ユニット５の回転範囲の何れの角度でも撮像ユニット５を固定できるものでも良いし、撮像ユニット５の回転範囲内の所定角度で撮像ユニット５を固定できるものでも良い。また、ロック機構が所定角度で固定する場合には、ロック機構によって撮像ユニット５が停止する回転角度としては、０°、最も反時計回り側に回転した角度、最も時計回り側に回転した角度等がある。なお、ロック機構は、左の撮像ユニット５（Ｌ）を固定する角度をθ°としたら、右の撮像ユニット５（Ｒ）を固定する角度を−θ°とするように構成されていると良い。
【００４７】
また、撮像ユニット５がモータ等の駆動機構によって電動で回転されるようにしても良いし、手動で回転されるようにしても良い。駆動機構で撮像ユニット５を回転する場合、一つの駆動機構の動力を両方の撮像ユニット５，５に伝動機構で伝動して撮像ユニット５，５の回転を連動させるようにしても良いし、撮像ユニット５，５を別々の駆動機構で回転させるようにしても良い。一つの駆動機構で撮像ユニット５，５を回転させる場合でも、別々の駆動機構で撮像ユニット５，５を回転させる場合でも、一方の撮像ユニット５の回転角度をφ°としたら、他方の回転角度を−φ°とするように駆動機構や伝動機構が設けられていると良い。
【００４８】
筐体２の上面であって撮像ユニット５，５間には、撮像ユニット５，５によって静止画を取得する撮像処理を行うために用いるシャッタボタン９が設けられている。シャッタボタン９が押下されると、撮像ユニット５，５によって取得された静止画を記録するように構成されている。
【００４９】
筐体２の背面には、立体的表示ユニット１０が設けられている。この立体的表示ユニット１０は、互いに視差を生じる左目用画像と右目用画像を時間的に交互に切り換え表示し、左目用画像をユーザの左目に到達させるとともに右目用画像をユーザに右目に到達させることにより、立体的に画像をユーザに見せる装置である。具体的には、立体的表示ユニット１０は図３のように構成されている。ここで、図３（ａ）は、立体的表示ユニット１０を上から見て示した断面図であり、図３（ｂ）は、その断面の一部を拡大して示した図面である。
【００５０】
立体的表示ユニット１０は、ドットマトリクス方式の表示を行う透過型の液晶ディスプレイパネル１１と、液晶ディスプレイパネル１１の背面（背面は表示面とは反対側の面である。）に対向配置され、液晶ディスプレイパネル１１の表示面に垂直な垂線を中心に挟んだ二方角に出射光のピークを持つ配光特性を有し、一方の方角をピークとした出射光と他方の方角をピークとした出射光を別々に液晶ディスプレイパネル１１の背面に向けて放射することも可能な上、同時に出射することも可能としたバックライト機構２１と、を備える。
【００５１】
液晶ディスプレイパネル１１はパッシブ駆動方式（単純マトリクス駆動方式）であっても良いし、アクティブマトリクス駆動方式であっても良いが、ここではより高画質の表示を行えるアクティブマトリクス駆動方式のディスプレイパネルとする。
【００５２】
つまり、液晶ディスプレイパネル１１は、透明な共通電極が形成された透明基板１２と、複数の透明な画素電極、走査線、信号線、ＴＦＴ等がパターニングされた透明基板１３とを対向させ、透明基板１２と透明基板１３との間に液晶を挟持した構造となっている。その他に、カラーフィルタ、偏光板、配向膜等も液晶ディスプレイパネル１１に設けられている。ここで、透明基板１２が筐体２の背面２ｂで露出し、透明基板１３が筐体２の内側に配され、透明基板１２の表面が表示面となる。液晶ディスプレイパネル１１の表示面には、ユーザによるタッチ位置を検出するためのタッチパネルが設けられている。
【００５３】
図４には、液晶ディスプレイパネル１１の回路構成が示されている。透明基板１３には行方向に帯状となった複数の走査線１４が互いに平行に配列され、列方向に帯状となった複数の信号線１５が走査線１４と直交するように配列され、走査線１４と走査線１５との各交差部にＴＦＴ１６が設けられ、それぞれのＴＦＴ１６に画素電極が接続されている。画素電極と共通電極との間に挟まれた液晶１７がコンデンサとしても機能し、液晶１７に電圧が印加されていない状態では光が液晶１７によって遮断され、液晶１７に電圧が印加されている状態では光が液晶１７を透過する。また、ゲートドライバ１８は走査線１４を順次選択していくものであり、データドライバ１９はそれぞれの走査線１４の選択時に階調信号を全ての信号線１５に出力するものであり、ＴＦＴ１６は階調信号による電圧を液晶１７に印加するとともに次のフレーム期間に走査線１４が選択されるまで液晶１７に印加する電圧を維持するものである。
【００５４】
図３に示すように、バックライト機構２１は、液晶ディスプレイパネル１１の背面に対向配置された導光板２２と、導光板２２の液晶ディスプレイパネル１１側の正面２２ａに貼着されたプリズムシート２３と、導光板２２の左右両側に配置された白色光源２４，２４と、を具備する。
【００５５】
導光板２２は、直方体状に形成された透明な平板であり、透明な樹脂・ガラス（アクリル樹脂（ＰＭＭＡ等のメタクリル樹脂を含む意である。）、ポリカーボネート、エポキシ樹脂、その他の樹脂、ホウケイ酸ガラス、石英ガラス、その他のガラス）から形成されたものである。ここでは、導光板２２を屈折率１．４９のアクリル板とし、厚さは０．８〜２ｍｍである。
【００５６】
導光板２２の左右両側面２２ｂ，２２ｂそれぞれには、白色光源２４が対向配置されている。ここで、液晶ディスプレイパネル１１に向きあったユーザから見て左側の白色光源２４にＬを括弧書きで付し、右側の白色光源２４にＲを括弧書きで付すが、左の白色光源２４（Ｌ）は図２の図示方向で左側にあり、右の白色光源２４（Ｒ）は図２の図示方向で右側にある。
【００５７】
白色光源２４は、導光板２２の側面２２ｂに沿って上下に長尺な光源とされている。白色光源２４としては、白色発光するＬＥＤ、冷陰極管が挙げられる。また、図示は省略するが、白色光源２４は、導光板２２側を開放したカバーによって覆われており、カバーの内面にはアルミニウム等の高反射率な金属からなる反射膜が成膜されており、白色光源２４から発した光が高効率で導光板２２の側面２２ｂに入射するようになっている。
【００５８】
プリズムシート２３は、両面が平滑な透明なシート材２３ａの裏面に多数のマイクロプリズム２３ｂが形成されたものである。シート材２３ａは透明な樹脂から形成されたものであるが、ここでは屈折率１．５５のＰＥＴから形成されている。多数のマイクロプリズム２３ｂも透明な樹脂から形成されたものであるがここでは屈折率１．４９のアクリル樹脂から形成されている。なお、シート材２３ａの屈折率はマイクロプリズム２３ｂの屈折率と等しい方が好ましいが、異なっていても良い。シート材２３ａの樹脂の種類はマイクロプリズム２３ｂの樹脂の種類と同じでも良いし、異なっていても良い。
【００５９】
マイクロプリズム２３ｂは、導光板２２の左右側面２２ｂと平行な方向につまり上下方向に長尺であり、その長手方向に直交する面で破断した断面形状が台形形状に形成されている。つまり、マイクロプリズム２３ｂは断面台形状の突条状に形成されている。断面台形状の互いに平行な二辺のうち長辺がシート材２３ａ側であり、短辺がシート材２３ａとは反対となっており、マイクロプリズム２３ｂはシート材２３ａから離れるにつれて左右幅が狭くなっている。断面台形状の長辺を挟んだ両底角は互いに等しく、短辺を挟んだ両底角は曲率半径Ｒの面取されている。
【００６０】
図３（ｂ）は、プリズムシート２３の設計寸法を説明するための図面である。図３（ｂ）に示すように、プリズムシート２３の好適な設計寸法として、マイクロプリズム２３ｂのピッチＰ１は０．０５〜０．５０ｍｍであり、マイクロプリズム２３ｂの高さＬは０．０１〜０．１０ｍｍであり、マイクロプリズム２３ｂの長辺を挟んだ底角αは５０〜７０°であり、短辺を挟んだ両底角の丸めの曲率半径Ｒは０．３〜０．８ｍｍである。また、マイクロプリズム２３ｂの底角とその隣りのマイクロプリズム２３ｂの底角までの間には間隔Ｐ２をあけるのが望ましく、間隔Ｐ２は０．０３〜０．１５ｍｍである（但し、Ｐ２＜Ｐ１）。なお、図３において、プリズムシート２３の厚さを実際よりも厚く図示しているが、実際には液晶ディスプレイパネル１１及び導光板２２よりも薄い。これに伴い、プリズムシート２３のマイクロプリズム２３ｂは誇張して大きく図示されている。
【００６１】
プリズムシート２３のマイクロプリズム２３ｂが形成されている側が、光透過性の透明な光学接着剤２５によって導光板２２の正面に接着されている。光学接着剤２５としては、カナダバルサム、エポキシ系光学接着剤、アクリル系光学接着剤等があるが、屈折率１．４９のアクリル系光学接着剤を用いている。プリズムシート２３のマイクロプリズム２３ｂ間の隙間２６には光学接着剤２５を埋めずに、プリズムシート２３はマイクロプリズム２３ｂの短辺で光学接着剤２５を介して導光板２２の正面に接着している。従って、マイクロプリズム２３ｂ間の隙間２６には、光学接着剤２５ではなく空気等のマイクロプリズム２３ｂよりも低屈折率な媒体が充填している。
【００６２】
以上のように構成されたバックライト機構２１の配光特性を図５に示す。図５において、横軸は、バックライト機構２１の正面（光出射面）方向に対する垂線を基準とした場合の水平角を表し（図１、図３の図示方向で右側を正とし、左側を負とする。）、縦軸は、プリズムシート２３が無い場合に一方の白色光源２４が点灯したときの水平角０°に指向した出射光の強度を１００とした相対的な出射光の強度を表している。図５に示すように、このバックライト機構２１は、右の白色光源２４（Ｒ）が点灯した場合には、約１５°に出射光のピークを持つとともにそれに比較して負の水平角の出射光が低強度となる配光特性を有する。また、バックライト機構２１は、左の白色光源２４（Ｌ）が点灯した場合には約−１５°に出射光のピークを持つとともにそれに比較して正の水平角の出射光が低強度となる配光特性を有する。従って、液晶ディスプレイパネル１１を正面から見たユーザは、左の白色光源２４（Ｌ）が点灯した場合には右目で液晶ディスプレイパネル１１の表示を見ることができ、右の白色光源２４（Ｒ）が点灯した場合には左目で液晶ディスプレイパネル１１の表示を見ることができ、両方の白色光源２４（Ｒ），２４（Ｌ）が同時に点灯した場合には両目で液晶ディスプレイパネル１１の表示を見ることができる。
【００６３】
図２に示すように、立体的表示ユニット１０の右側には、「＋」キー及び「−」キーからなるコントロールボタン３０が設けられており、コントロールボタン３０の上側にはメニューボタン３１が設けられており、メニューボタン３１の右側にはモード切換スイッチ３２が設けられている。また、シャッタボタン９の右側には電源ボタン３３が設けられており、電源ボタン３３が押下されることによってデジタルカメラ１が起動するように構成されている。
【００６４】
次に、デジタルカメラ１の回路構成について図６を用いて説明する。
デジタルカメラ１の回路は、左右のイメージセンサ７，７、アンプ１２１，１２１、Ａ／Ｄ（Analog to Digital）コンバータ１２２，１２２、駆動回路１２３，１２３、タイミングジェネレータ１２４、シグナルジェネレータ１２５、ＶＲＡＭ（Video Random Access Memory）１２６、Ｄ／Ａコンバータ１２７、アンプ１２８、ＤＲＡＭ（Dynamic Random Access Memory）１２９、圧縮／伸長回路１３０、フラッシュメモリ１３１、ＣＧ（Character Generator）１３２、ＲＯＭ（Read Only Memory）１３３、ＲＡＭ（Random Access Memory）１３４、ＣＰＵ（Central Processing Unit）１３６、キー入力部１３５、Ｉ／Ｏ（Input / Output）ポート１３７、赤外線通信部１３８、白色光源２４，２４及び液晶ディスプレイパネル１１から構成されている。
【００６５】
駆動回路１２３は、タイミングジェネレータ１２４から供給されるタイミング信号に基づいてイメージセンサ７の露光及び読み出しタイミングを駆動制御する回路である。それぞれの駆動回路１２３，１２３から供給される駆動信号によって、受光量に応じた撮像信号がイメージセンサ７，７からそれぞれのアンプ１２１，１２１を介してそれぞれのＡ／Ｄコンバータ１２２，１２２に一画素分ずつ順次出力される。
【００６６】
Ａ／Ｄコンバータ１２２は、イメージセンサ７からアンプ１２１を介して入力される撮像信号をアナログ信号からデジタル信号に変換し、タイミングジェネレータ１２４に供給する変換器である。
【００６７】
また、タイミングジェネレータ１２４は、ＣＰＵ１３６から入力される映像取り込み信号に基づいて駆動回路１２３を制御するタイミング信号を生成する発振器である。
【００６８】
シグナルジェネレータ１２５は、タイミングジェネレータ１２４を介して供給される撮像信号（デジタル信号）に対して色演算処理を行い、輝度信号（Ｙデータ）と色信号（Ｃデータ）により構成される画像データを生成し、この画像データをＤＲＡＭ１２９に出力する信号処理回路である。
【００６９】
また、シグナルジェネレータ１２５は、ＣＰＵ１３６によりＤＲＡＭ１２９から供給された画像データに同期信号を付加する等してビデオ信号（デジタル信号）を生成して、ビデオ信号を表示データとしてＶＲＡＭ１２６に一旦格納し、その後、ＶＲＡＭ１２６に格納したビデオ信号をＤ／Ａコンバータ１２７及びアンプ１２８を介して液晶ディスプレイパネル１１に出力するように構成されている。
【００７０】
また、シグナルジェネレータ１２５は、白色光源２４，２４を交互に点灯したり、同時に点灯したりするように構成されている。図７に示すように、シグナルジェネレータ１２５が白色光源２４，２４を交互に点灯する周期Ｔ１は液晶ディスプレイパネル１１の垂直期間（１フレームの表示期間）Ｔ２の２倍である。つまり、一方の白色光源２４が点灯し且つ他方の白色光源２４が消灯している時には液晶ディスプレイパネル１１の１フレームの表示がなされ、液晶ディスプレイパネル１１が次フレームを表示する時には一方の白色光源２４が消灯し且つ他方の白色光源２４が点灯し、シグナルジェネレータ１２５はこのような白色光源２４，２４の点灯・消灯を繰り返すように構成されている。
【００７１】
ＶＲＡＭ１２６は、シグナルジェネレータ１２５により生成されたビデオ信号（表示データ）を一時的に格納するビデオメモリであり、液晶ディスプレイパネル１１の２画面分の表示データを格納可能なメモリ容量を有する。シグナルジェネレータ１２５が白色光源２４，２４を交互に点灯する時にはＶＲＡＭ１２６には２画面分の表示データが格納されるが、一方の白色光源２４が点灯している時にはシグナルジェネレータ１２５は一方の表示データをビデオ信号として液晶ディスプレイパネル１１に出力し、他方の白色光源２４が点灯している時にはシグナルジェネレータ１２５は他方の表示データをビデオ信号として液晶ディスプレイパネル１１に出力するように構成されている。なお、シグナルジェネレータ１２５が白色光源２４，２４を交互に点灯する周期Ｔ１が液晶ディスプレイパネル１１の垂直期間Ｔ２の偶数倍であれば２倍に限定されないが、何れにしてもシグナルジェネレータ１２５は一方の白色光源２４が点灯している時には一方の表示データをビデオ信号として液晶ディスプレイパネル１１に出力し、他方の白色光源２４が点灯している時には他方の表示データをビデオ信号として液晶ディスプレイパネル１１に出力する。
【００７２】
Ｄ／Ａコンバータ１２７は、シグナルジェネレータ１２５によりＶＲＡＭ１２６から供給されるビデオ信号（表示データ）をデジタル信号からアナログ信号に変換し、アンプ１２８を介して液晶ディスプレイパネル１１に出力する。
【００７３】
シグナルジェネレータ１２５、Ｄ／Ａコンバーが１２７及びアンプ１２８から表示制御手段が構成されている。
【００７４】
図４に示された液晶ディスプレイパネル１１のゲートドライバ１８は、ビデオ信号に基づいて走査線１４に選択走査信号を順次出力するように構成されている。液晶ディスプレイパネル１１のデータドライバ１９は、ビデオ信号に基づいた階調信号をそれぞれの走査線の選択時に全ての信号線１５に出力するように構成されている。なお、ゲートドライバ１８が一番上の走査線１４に選択走査信号を出力し始めてから一番下の走査線１４に出力し終わるまでの間が垂直期間Ｔ２であり、一番下の走査線１４後は再び一番上の走査線１４に選択走査信号を出力する。
【００７５】
ＤＲＡＭ１２９は、シグナルジェネレータ１２５から供給される撮像した画像データ、あるいはＣＰＵ１３６によりフラッシュメモリ１３１から読み出され、後述する圧縮／伸長回路１３０により伸長処理された画像データを一時的に格納する半導体メモリである。
【００７６】
圧縮／伸長回路１３０は、ＤＲＡＭ１２９に格納された画像データを符号化により圧縮処理する。具体的には、画像データを所定の符号化方式、すなわち、取り扱う画像の種類に応じた、例えば、ＪＰＥＧ（Joint Photographic Experts Group）アルゴリズムによる８×８画素毎のＤＣＴ（Discrete Cosine Transform ：離散コサイン変換）、量子化、ハフマン符号化により圧縮処理（符号化処理）し、この圧縮処理した画像データをフラッシュメモリ１３１に出力する。更に、圧縮／伸長回路１３０は、フラッシュメモリ１３１に格納されている圧縮処理された画像データを復号化して伸長処理し、ＤＲＡＭ１２９に出力する。
【００７７】
フラッシュメモリ１３１は、圧縮／伸長回路１３０により圧縮処理された画像データを複数格納する半導体メモリであり、「ページＮｏ．データ」及び「画像データ」が対応付けられて複数格納される。なお、両方のイメージセンサ７，７で同時に撮像された場合には、両方のイメージセンサ７，７で撮像された「画像データ」が同じ「ページＮｏ．データ」に対応づけられてフラッシュメモリ１３１に格納される。
【００７８】
「ページＮｏ．データ」は、画像データに対して当該フラッシュメモリ１３１への格納順に割り当てられる格納順序を示す数値データである。例えば、最初にフラッシュメモリ１３１に格納される画像データには「ページＮｏ．データ」として"１"が、次に格納される画像データには「ページＮｏ．データ」として"２"が割り当てられる。
【００７９】
ＣＧ１３２は、液晶ディスプレイパネル１１に表示される、例えば、操作ガイダンス用のカナ、漢字、英数字、記号等のキャラクタデータを格納するメモリである。
【００８０】
ＲＯＭ１３３には、ＣＰＵ１３６にとって読取可能・実行可能な制御プログラムが格納されている。ＲＯＭ１３３の制御プログラムは、立体的画像撮像処理、立体的画像表示処理、平面画像撮像処理、平面画像表示処理、測距処理等の各種処理をＣＰＵ１３６に実行させるためのプログラムである。
【００８１】
ＲＡＭ１３４は、ＣＰＵ１３６により各種処理が実行される時に、その制御処理を司る制御プログラムを展開する、あるいは処理される各種データを一時的に格納するワークメモリ、撮像処理により設定された各種撮像条件データを格納する撮像条件メモリを形成する。
【００８２】
ＲＡＭ１３４内の撮像条件メモリには、「開始ページＮｏ．データ」、「終了ページＮｏ．データ」、「ページＮｏ．データ」と、図示しないその他の各種撮像条件データ（例えば、シャッタースピード、絞り、連写撮影時の撮影時間間隔等）によって構成される。
【００８３】
「開始ページＮｏ．データ」は、撮像処理において、これから撮像する画像に対応づける、未使用の新たな「ページＮｏ．データ」を格納したデータである。「終了ページＮｏ．データ」は、後述する撮像処理において、一連のシャッタボタンの押圧状態が終了した時点での「ページＮｏ．データ」を格納したデータである。
【００８４】
「ページＮｏ．データ」は、前記フラッシュメモリ１３１内の各画像データと対応づけられて格納される「ページＮｏ．データ」と同じ形式のデータであり、撮像処理において撮像した画像を格納する「ページＮｏ．データ」を一時的に記憶しておくためのＲＡＭ１３４内のデータである。そして、一枚の画像の撮像が終了するとこの「ページＮｏ．データ」の値はインクリメントされる。
【００８５】
プレート格納テーブルには、異なる形状を有する複数の「プレート画像データ」がプレート毎に「格納Ｎｏ．データ」と対応付けられて格納される。
【００８６】
キー入力部１３５は、シャッタボタン９、コントロールボタン３０、メニューボタン３１、モード切換スイッチ３２、電源ボタン３３、タッチパネル（立体的表示ユニット１０の表示面に設けられている。）等に対する押圧操作、タッチ操作、スライド操作に応じた各種操作信号をＣＰＵ１３６に出力するように構成されている。
【００８７】
Ｉ／Ｏ（Input / Output）ポート１３７は、ＣＰＵ１３６の指令によって、シリアル入出力端子１３７ａ及び通信ケーブルを介して接続された外部機器（例えば、パーソナルコンピュータ）に対してシリアルデータ（画像データ、制御データ等）の入出力制御を行うインターフェースである。
【００８８】
赤外線通信部１３８は、デジタルカメラ１と外部機器との間でＩｒＤＡ（Infrared Data Association）方式の赤外線通信を行うための赤外線インターフェースであって、ＣＰＵ１３６の指令によって画像データ、制御データ等の送受信制御を行うインターフェースである。具体的には、この赤外線通信部１３８は、赤外線通信機能を有する外部機器に送信する送信データを一時的に格納する送信データメモリと、この送信データメモリに格納されたデータを赤外線信号に変調する変調部と、変調された赤外線信号を赤外線パルスにより赤外線窓を介して前記外部機器に送信する送信用ＬＥＤと、前記外部機器から赤外線パルスにより送信された赤外線信号を赤外線窓を介して受信するフォトダイオードと、この受信された赤外線信号を受信データとして復調する復調部と、復調された受信データを一時的に格納する受信データメモリと、により構成されている。
【００８９】
ＣＰＵ１３６は、ＲＯＭ１３３に格納されている制御プログラムに従ってデジタルカメラ１の各部を制御する中央演算処理装置である。また、ＣＰＵ１３６は、制御プログラムを読み込むことによって、左のイメージセンサ７で撮像された左目用画像中にある被写体の像の位置を検出する第一位置検出手段として機能し、更に、右のイメージセンサ７で撮像された右目用画像中にある被写体の像の位置を検出する第二位置検出手段として機能する。ここで、ＣＰＵ１３６は、タッチパネルに対するタッチ位置をキー入力部１３５を通じて検知することによって画像中の被写体の像の位置を検出するようになっている。また、ＣＰＵ１３６は、制御プログラムによって、右目用画像中の検出位置と左用画像中の検出位置とから被写体の視差を求め、その視差に基づき被写体までの距離を求める測距手段として機能する。
【００９０】
次に、デジタルカメラ１を用いて撮影する方法、撮影した画像を再生する方法、その撮影・再生に伴ったデジタルカメラ１の動作、制御プログラムに従ったＣＰＵ１３６の処理の流れについて説明する。
【００９１】
ユーザがモード切換スイッチ３２をスライド操作し通常画像撮影モードを指定し、更にシャッタボタン９を押圧した状態を維持すると、ＣＰＵ１３６がその旨を検知し平面画像撮像処理を実行する。
【００９２】
平面画像撮像処理においては、まずＣＰＵ１３６がタイミングジェネレータ１２４に映像取り込み信号を出力する。タイミングジェネレータ１２４では、前記映像取り込み信号に基づいてタイミング信号を生成して駆動回路１２３に出力し、駆動回路１２３では、前記タイミング信号に基づいて一方のイメージセンサ７の露光及び読み出しタイミングを駆動制御して、その一方のイメージセンサ７により撮像信号を取り込む。Ａ／Ｄコンバータ１２２では、前記取り込んだ撮像信号をアナログ信号からデジタル信号に変換し、シグナルジェネレータ１２５では、前記撮像信号に対して色演算処理を行って画像データを生成してＤＲＡＭ１２９に格納する。そして、ＣＰＵ１３６は、ＤＲＡＭ１２９に格納された画像データを圧縮／伸長回路１３０に転送して圧縮処理を行わせた後、前記圧縮された画像データを新たな（インクリメントされた）「ページＮｏ．データ」と対応付けてフラッシュメモリ１３１に格納する。
【００９３】
なお、ユーザがシャッタボタン９を押下するまでは、立体的表示ユニット１０がファインダとして用いられる。つまり、ユーザがシャッタボタン９を押下するまでは、一方のイメージセンサ７により取り込んだ撮像信号をＡ／Ｄコンバータ１２２、タイミングジェネレータ１２４を介してシグナルジェネレータ１２５に出力し、シグナルジェネレータ１２５では入力された撮像信号に同期信号を付加する等してビデオ信号（表示データ）を生成し、Ｄ／Ａコンバータ１２７及びアンプ１２８を介して液晶ディスプレイパネル１１に出力し、液晶ディスプレイパネル１１が画像を表示する。この時、シグナルジェネレータ１２５は、液晶ディスプレイパネル１１が画像を再生表示している間中、両方の白色光源２４，２４を同時に点灯し続ける。そのため、液晶ディスプレイパネル１１を正面から見たユーザの両目には、液晶ディスプレイパネル１１を透過した出射光が同時に入射するから、ユーザは両目で液晶ディスプレイパネル１１の画像を見ることができる。
【００９４】
一方、ユーザがモード切換スイッチ３２をスライド操作し通常画像再生モードを指定すると、ＣＰＵ１３６がその旨を検知し平面画像表示処理を実行する。
【００９５】
この平面画像再生表示処理において、ＣＰＵ１３６は、ユーザによるコントロールボタン３０の「＋」キー又は「−」キーの押圧操作に応じて、フラッシュメモリ１３１に格納された画像データの中から、そのページＮｏ．順（「＋」キーが押圧操作された場合は昇順、「−」キーが押圧操作された場合は降順）に再生表示する画像データを指定する。そして、ＣＰＵ１３６は、指定した画像データをフラッシュメモリ１３１から読み出して圧縮／伸長回路１３０に転送し、圧縮／伸長回路１３０に伸長処理を行わせた後、ＤＲＡＭ１２９に格納する。
【００９６】
その後、ＣＰＵ１３６は、ＤＲＡＭ１２９に格納した画像データをシグナルジェネレータ１２５に転送する。シグナルジェネレータ１２５では、入力された画像データに同期信号を付加する等してビデオ信号（表示データ）を生成し、一旦、ＶＲＡＭ１２６に格納し、ＶＲＡＭ１２６から画像データを読み出してＤ／Ａコンバータ１２７及びアンプ１２８を介して液晶ディスプレイパネル１１に出力し、液晶ディスプレイパネル１１が画像を再生表示する。ここで、ＣＰＵ１３６が平面画像再生指令をシグナルジェネレータ１２５に出力し、この指令によってシグナルジェネレータ１２５は液晶ディスプレイパネル１１が画像を再生表示している間中、両方の白色光源２４，２４を同時に点灯し続ける。また、両方の白色光源２４，２４が点灯しているので、水平角１５°と−１５°の両方にピークをもつ出射光がバックライト機構２１から液晶ディスプレイパネル１１に向けて出射する。そのため、液晶ディスプレイパネル１１を正面から見たユーザの両目には、液晶ディスプレイパネル１１を透過した出射光が同時に入射するから、ユーザは両目で液晶ディスプレイパネル１１の再生画像を見ることができる。
【００９７】
また、ユーザがモード切換スイッチ３２をスライド操作し立体的画像撮影モードを指定し、更にシャッタボタン９を押圧した状態を維持すると、ＣＰＵ１３６がその旨を検知し立体的画像撮像処理を実行する。
【００９８】
立体的画像撮像処理においては、まずＣＰＵ１３６がタイミングジェネレータ１２４に映像取り込み信号を出力する。タイミングジェネレータ１２４では、前記映像取り込み信号に基づいてタイミング信号を生成して両方の駆動回路１２３，１２３に出力し、駆動回路１２３，１２３も前記タイミング信号に基づいてそれぞれのイメージセンサ７の露光及び読み出しタイミングを駆動制御して、それぞれのイメージセンサ７により撮像信号を同時に取り込む。それぞれのＡ／Ｄコンバータ１２２では、前記取り込んだ撮像信号をアナログ信号からデジタル信号に変換する。シグナルジェネレータ１２５は、左側のイメージセンサ７からの撮像信号に対して色演算処理を行って、画像データを左目用画像データとして生成してＤＲＡＭ１２９に格納する。一方、シグナルジェネレータ１２５は、右側のイメージセンサ７からの撮像信号に対して色演算処理を行って、画像データを右目用画像データとしてＤＲＡＭ１２９に格納する。そして、ＣＰＵ１３６は、ＤＲＡＭ１２９に格納された両方の画像データを圧縮／伸長回路１３０に順次転送し、圧縮／伸長回路１３０に圧縮処理を行わせた後、圧縮された左目用画像データ及び右目用画像データを新たな（インクリメントされた）「ページＮｏ．データ」と対応付けてフラッシュメモリ１３１に格納する。
【００９９】
右の撮像ユニット５（Ｒ）と左の撮像ユニット５（Ｌ）が左右に離れているため、右の撮像ユニット５（Ｒ）のイメージセンサ７で撮像した右目用画像と左の撮像ユニット５（Ｌ）のイメージセンサ７で撮像した左目用画像とは互いに視差を生じさせるものとなる。
【０１００】
また、ユーザがモード切換スイッチ３２をスライド操作し立体的画像再生モードを指定すると、ＣＰＵ１３６がその旨を検知し立体的画像表示処理を実行する。
【０１０１】
この立体的再生表示処理において、ＣＰＵ１３６は、ユーザによるコントロールボタン３０の「＋」キー又は「−」キーの押圧操作に応じて、フラッシュメモリ１３１に格納された画像データの中から、そのページＮｏ．順（「＋」キーが押圧操作された場合は昇順、「−」キーが押圧操作された場合は降順）に再生表示するページＮｏ．を指定する。そして、ＣＰＵ１３６は、指定したページＮｏ．に対応した左目用画像データ及び右目用画像データをフラッシュメモリ１３１から順次読み出して圧縮／伸長回路１３０に転送し、圧縮／伸長回路１３０に伸長処理を行わせた後、ＤＲＡＭ１２９に格納する。
【０１０２】
その後、ＣＰＵ１３６は、ＤＲＡＭ１２９に格納した右眼用及び左目用の画像データをシグナルジェネレータ１２５に転送する。ここで、ＣＰＵ１３６が立体的画像再生指令をシグナルジェネレータ１２５に出力する。シグナルジェネレータ１２５では、入力された両方の画像データに同期信号を付加する等してビデオ信号（表示データ）を生成し、一旦、ＶＲＡＭ１２６に格納し、ＶＲＡＭ１２６から両方の画像データを交互に読み出してＤ／Ａコンバータ１２７及びアンプ１２８を介して交互に液晶ディスプレイパネル１１に出力し、液晶ディスプレイパネル１１が両方の画像を交互に再生表示する。つまり、図７に示すように、シグナルジェネレータ１２５は、液晶ディスプレイパネル１１の或る垂直期間Ｔ２には左目用の画像データを液晶ディスプレイパネル１１に出力することと、次の垂直期間Ｔ２には右目用の画像データを液晶ディスプレイパネル１１に出力することを順に繰り返す。
【０１０３】
ここで、シグナルジェネレータ１２５は、左目用の画像データを液晶ディスプレイパネル１１に出力している垂直期間Ｔ２には右側の白色光源２４（Ｒ）を点灯させるとともに左側の白色光源２４（Ｌ）を消灯させ、右目用の画像データを液晶ディスプレイパネル１１に出力している垂直期間Ｔ２には左側の白色光源２４（Ｌ）を点灯させるとともに右側の白色光源２４（Ｒ）を消灯させる。バックライト機構２１の配光特性が図５に示すようになっているので、右側の白色光源２４（Ｒ）が点灯している時には、液晶ディスプレイパネル１１に表示されている左目用画像がユーザの左目には明るい状態で到達し、ユーザの右目には暗い状態で到達する。逆に左側の白色光源２４（Ｌ）が点灯している時には、液晶ディスプレイパネル１１に表示されている右目用画像がユーザの右目には明るい状態で到達し、ユーザの左目には暗い状態で到達する。
【０１０４】
右目用画像と左目用画像は互いに視差を生じさせるものであるため、右側の白色光源２４（Ｒ）、左側の白色光源２４（Ｌ）を交互に発光して出射することによってユーザは右目用画像を右目で見て左目用画像を左目で見るので、立体感のある画像として見ることができる。
【０１０５】
ところが、図８に示すように、被写体がデジタルカメラ１から遠く離れるにつれて、その被写体の視差が小さくなる傾向にあり、被写体がデジタルカメラ１から離れるにつれて、立体的表示ユニット１０に表示される被写体の像の立体感が乏しくなる。このような性質を図８を用いて説明することができる。図８（ａ）はデジタルカメラ１及び被写体の位置関係を示した平面図であり、図８（ｂ）の位置関係の場合にデジタルカメラ１で左右の画像を示した図面であり、図８（ｃ）は左右の画像を重ね合わせた図面である。図８からわかるように、デジタルカメラ１から遠い被写体６１の視差はＤ１となり、デジタルカメラ１から近い被写体の視差はＤ２となり、視差Ｄ１が視差Ｄ２より大きくなる。ここでの視差とは、左目用画像が表示されている時の液晶ディスプレイパネル１１上での被写体の位置から、右目用画像が表示されている時の液晶ディスプレイパネル１１上で同一被写体の位置までの距離である。
【０１０６】
そこで、このデジタルカメラ１は、ユーザにとって適度な立体感を感じさせるように工夫がなされている。即ち、上述したように左右の撮像ユニット５，５が上下方向の軸回りに回転自在に設けられていることによって、図９の平面図に示すように左右の撮像ユニット５，５の光軸方向を調整できるようになっている。図９（ａ）に示すような状態では、どちらの撮像ユニット５，５も回転角度が０°となっており、撮像ユニット５，５の光軸が平行となっている。
【０１０７】
図９（ｂ）に示すような状態では、左の撮像ユニット５（Ｌ）の光軸が０°よりも時計回り側に回転した状態となっており、右の撮像ユニット５（Ｒ）の光軸が０°よりも反時計回り側に回転した状態となっており、左右の撮像ユニット５，５の光軸がデジタルカメラ１の正面側で交差している。デジタルカメラ１が図９（ｂ）のような状態の場合には、デジタルカメラ１の近くにある被写体を適度の立体感で表示するのに適している。
【０１０８】
図９（ｃ）に示すような状態では、左の撮像ユニット５（Ｌ）の光軸が０°よりも反時計回り側に回転した状態となっており、右の撮像ユニット５（Ｒ）の光軸が０°よりも時計回り側に回転した状態となっており、左右の撮像ユニット５，５の光軸がデジタルカメラ１の背面側で交差している。デジタルカメラ１が図９（ａ）のような状態の場合には、デジタルカメラ１から遠くにある被写体を誇張した立体感で表示するのに適している。
【０１０９】
具体的に説明すると、図１０（ａ）に示すようにデジタルカメラ１に近い被写体６３を図９（ａ）の状態のデジタルカメラ１で撮影した場合、図１０（ｂ）に示すように視差Ｄ３が非常に大きくなってしまい、ユーザにとって立体的表示ユニット１０の表示画面中の被写体６３の像に両目でピントを合わせることが難しくなる。そこで、図１０（ｃ）に示すように近い被写体６３を図９（ｂ）の状態のデジタルカメラ１で撮影した場合、図１０（ｄ）に示すように視差Ｄ４が視差Ｄ３よりも小さくなり、ユーザにとって立体的表示ユニット１０の表示画面中の被写体６３の像に両目でピントを合わせることが簡単になる。
【０１１０】
また、図１１（ａ）に示すようにデジタルカメラ１から遠い被写体６４を図９（ａ）の状態のデジタルカメラ１で撮影した場合、図１１（ｂ）に示すように視差Ｄ５が小さすぎて、立体的表示ユニット１０の表示画面中の被写体６３の像の立体感がユーザにとって乏しく感じられる。そこで、図１１（ｃ）に示すように遠い被写体６４を図９（ｃ）の状態のデジタルカメラ１で撮影した場合、図１１（ｄ）に示すように視差Ｄ６が視差Ｄ５よりも大きくなり、立体的表示ユニット１０の表示画面中の被写体６４の像はユーザにとって立体感が誇張されたように見える。
【０１１１】
なお、撮像ユニット５，５を図９に示すように回転させる場合には、ユーザが手動で回転させても良いし、ユーザが駆動機構を作動させて駆動機構により自動的に回転させても良い。
【０１１２】
次に、デジタルカメラ１を用いて測距する方法、その測距に伴ったデジタルカメラ１の動作、制御プログラムに従ったＣＰＵ１３６の測距処理の流れについて説明する。
【０１１３】
上述したようにユーザがモード切換スイッチ３２をスライド操作し立体的画像再生モードを指定すると、この立体的表示ユニット１０では左目用画像と右目用画像が交互に表示されることによって、ユーザは立体的画像を見る。
【０１１４】
そして、ユーザがコントロールボタン３０を操作し測距モードを指定すると、ＣＰＵ１３６がその旨を検知し測距処理を実行する。
測距処理においては、まずＣＰＵ１３６が、ＤＲＡＭ１２９に格納された左目用画像データ（この左目用画像データは立体的画像処理において圧縮／伸長回路１３０によって伸長処理されたものである。）をシグナルジェネレータ１２５に転送するとともに、平面画像再生指令をシグナルジェネレータ１２５に出力する。これにより、上述した平面画像再生処理の場合と同様に、左右両方の白色光源２４，２４が同時に点灯している状態で、液晶ディスプレイパネル１１が左目用画像を再生表示し、ユーザは左目用画像を両目で見ることができる。
【０１１５】
立体的表示ユニット１０に左目用画像が表示されている状態でＣＰＵ１３６が待機状態となる。そして、ユーザが液晶ディスプレイパネル１１の表示面のタッチパネルをタッチすることによって、測距したい被写体の像を指定する。これにより、ＣＰＵ１３６はユーザがタッチした位置をタッチパネル及びキー入力部１３５を通じて検知する。この検知した位置を左のイメージセンサ７に対応した直交座標系で表した場合、（ｘL，ｙL）とする。なお、イメージセンサ７の直交座標系のＸ方向は、左右のレンズユニット８，８の主点を結んだ線に平行な方向であり、イメージセンサ７の直交座標系のＹ方向は、Ｘ方向に直交する方向であってレンズユニット８の光軸に直交する方向である。
【０１１６】
次に、ＣＰＵ１３６がＤＲＡＭ１２９に格納された右目用画像データ（この右目用画像データは立体的画像処理において圧縮／伸長回路１３０によって伸長処理されたものである。）をシグナルジェネレータ１２５に転送するとともに、平面画像再生指令をシグナルジェネレータ１２５に出力する。これにより、上述した平面画像再生処理の場合と同様に、左右両方の白色光源２４，２４が同時に点灯している状態で、液晶ディスプレイパネル１１が右目用画像を再生表示し、ユーザは右目用画像を両目で見ることができる。
【０１１７】
立体的表示ユニット１０に右目用画像が表示されている状態でＣＰＵ１３６が待機状態となる。そして、ユーザが液晶ディスプレイパネル１１の表示面のタッチパネルをタッチすることによって、測距したい被写体の像を指定する。これにより、ＣＰＵ１３６はユーザがタッチした位置をタッチパネル及びキー入力部１３５を通じて検知する。この検知した位置を右のイメージセンサ７に対応した直交座標系で表した場合、（ｘR，ｙR）とする。
【０１１８】
そして、ＣＰＵ１３６は、次の式（１）によりｚ0の値を求める。求めたｚ0がデジタルカメラ１から被写体までの距離である。ここで、左右のレンズユニット８，８の焦点距離をｆとし、左右のレンズユニット８，８間の距離をｄとする。
ｚ0＝ｆｄ／（ｘL−ｘR）  …  （１）
【０１１９】
式（１）は、図１２に示すように三角測量の原理により求めた式であり、（ｘL−ｘR）が視差である。図１２に示すように、左のレンズユニット８の主点を原点に定義し、レンズユニット８，８の主点を結んだ線の方向にＸ座標を定義し、レンズユニット８の光軸と平行な方向にＺ座標を定義する。そのＸＹＺ座標系で被写体の位置を（ｘ0，ｙ0，ｚ0）とすると、次式（２）が成立する。
ｘL／ｆ＝ｘ0／ｚ0  、−ｘR／ｆ＝（ｄ−ｘ0）／ｚ0  …  （２）
【０１２０】
上記式（２）から式（１）が求まる。撮像ユニット５の画角をθ〔ｒａｄ〕とし、イメージセンサ７の水平方向の寸法をＷとすると、画角θと焦点距離ｆとの関係は次式（３）が成立し、式（３）と式（１）から式（４）が求まる。
ｔａｎ（θ／２）＝ｗ／（２ｆ）  …  （３）
ｚ0＝Ｗｄ／｛２（ｘL−ｘR）ｔａｎ（θ／２）｝  …  （４）
【０１２１】
ｚ0の算出後、ＣＰＵ１３６が算出したｚ0の数字をＣＧ１３２から読み出し、その数字をシグナルジェネレータ１２５に転送し、シグナルジェネレータ１２５からＤ／Ａコンバータ１２７及びアンプ１２８を介して液晶ディスプレイパネル１１にビデオ信号が出力されることによって、液晶ディスプレイパネル１１にてｚ0の数値が表示される。
【０１２２】
なお、以上の測距処理においてユーザが液晶ディスプレイパネル１１のタッチパネルを操作することによって左右の画像中にある被写体の像を抽出したが、ユーザが抽出する代わりにＣＰＵ１３６が左右の画像データから画像処理（特徴抽出処理）により被写体の像を抽出することによって左右のそれぞれの画像データにおける被写体の像の位置を検出し、左の画像データ中の像と右の画像データ中の像との対応関係をマッチング処理により求めることによって視差（ｘL−ｘR）を求めても良い。このようなＣＰＵ１３６の処理により左の画像データ中の像の座標（ｘL，ｙL）と、右の画像データ中の像の座標（ｘR，ｙR）が求まり、ＣＰＵ１３６が式（１）からｚ0を求め、そのｚ0の数値が液晶ディスプレイパネル１１に表示される。
【０１２３】
次に、デジタルカメラ１に格納された画像データを外部機器に転送する方法について説明する。
ユーザがコントロールボタン３０を操作し転送モードを指定した場合、ＣＰＵ１３６がフラッシュメモリ１３１に格納された画像データを読み取って赤外線通信部１３８又はＩ／Ｏポート１３７に転送する。これにより、Ｉ／Ｏポート１３７又は赤外線通信部１３８から外部機器に画像データが転送され、外部機器の記憶媒体に画像データが格納される。なお、デジタルカメラ１と外部機器の双方にＰＣＭＣＩＡ（Personal Computer Memory Card International Association）規格等に準じたメモリカードを接続可能なカードスロットを設け、デジタルカメラ１と外部機器との間でメモリカードを介してデータ授受を行っても良い。
【０１２４】
次に、デジタルカメラ１から画像が転送される外部機器について説明する。外部機器にもデジタルカメラ１の立体的表示ユニット１０と同様な構成の立体的表示装置が設けられており、デジタルカメラ１から転送された左右の画像データ（外部機器の記憶媒体に格納されている。）に基づき立体的画像を表示できるようになっている。外部機器が立体的表示装置で立体的画像を表示することは、デジタルカメラ１が立体的表示ユニット１０で立体的画像を表示することと同じように行われる。また、外部機器には、デジタルカメラ１が左右の画像データに基づき撮影時のデジタルカメラ１から被写体までの距離を求める測距処理と同様な機能が備わっている。更には、外部機器には、左右の画像データに含まれている各オブジェクトについて測距することによって、図１３（ａ）に示されているような立体的画像から図１３（ｂ）に示された平面図に変換する機能が備わっている。
【０１２５】
以上のように、本実施形態によれば、ユーザがデジタルカメラ１を用いて立体的画像撮影モードで撮影すれば、デジタルカメラ１の立体的表示ユニット１０において立体的な画像がその場で表示される。従って、デジタルカメラ１は興趣性のあるものとなり、購入意欲を掻き立てる程の新鮮味が増す。
【０１２６】
また、ユーザがデジタルカメラ１を測距モードにすれば、撮影時のデジタルカメラ１から被写体までの距離をその場で求めることができる。このデジタルカメラ１は、単に撮像機能・表示機能のみならず測距機能もあるので、購入意欲を掻き立てる程の新鮮味が増す。
【０１２７】
また、被写体までの距離を測距する際にユーザが立体的表示ユニット１０の表示面をタッチするだけで左右の画像の対応関係も求められるから、被写体までの距離を測定するアルゴリズムが簡単である。
【０１２８】
なお、本発明は、上記実施形態に限定されることなく、本発明の趣旨を逸脱しない範囲において、種々の改良並びに設計の変更を行っても良い。
上記実施形態では本発明をデジタルカメラ１に適用した場合を例にして挙げたが、携帯電話機、ＰＤＡ、電子手帳、腕時計、ノート型パーソナルコンピュータ、その他の電子機器に本発明を適用しても良い。即ち、何れの電子機器においても二つの撮像ユニット５，５及び図３に示すような立体的表示ユニット１０が備わっており、図６に示すような回路が備わっている。二つの撮像ユニット５，５のうち少なくとも一方は光軸に対して垂直な回転軸回りに回転自在となっており、二つの撮像ユニット５，５の光軸が平行となって二つの撮像ユニット５，５が同じ方向に向くようになっている。
【０１２９】
また、上記実施形態では二つの撮像ユニット５，５の両方が回転自在となって筐体２に取り付けられているが、どちらか一方が固定されており他方が回転自在となっていても良い。また、両方の撮像ユニット５，５が筐体２に固定されていても良いが、この場合撮像ユニット５，５の光軸が平行となって撮像ユニット５，５が正面に向くように撮像ユニット５，５が筐体２に取り付けられている。
【図面の簡単な説明】
【０１３０】
【図１】本発明が適用されたデジタルカメラを示した斜視図である。
【図２】図１とは別の方向から見て示した斜視図である。
【図３】図１のデジタルカメラに備わった立体的表示ユニットを示した断面図である。
【図４】図３に示された立体的表示ユニットの液晶ディスプレイパネルの回路構成を示した図面である。
【図５】図３に示された立体的表示ユニットのバックライト機構の配光特性を示したグラフである。
【図６】図１のデジタルカメラの回路構成を示したブロック図である。
【図７】液晶ディスプレイパネルの動作のタイミングを示したチャートである。
【図８】被写体の位置と視差との関係を説明するための図面である。
【図９】図１のデジタルカメラの撮像ユニットの向きを三通り示した図面である。
【図１０】近くにある被写体の位置と視差との関係を説明するための図面である。
【図１１】遠くにある被写体の位置と視差との関係を説明するための図面である。
【図１２】測距の原理について説明するための図面である。
【図１３】立体的な画像と、その画像を平面的に変換した画像とを示した図面である。
【符号の説明】
【０１３１】
１  …  デジタルカメラ（立体的表示機能付電子機器）
５  …  撮像ユニット（撮像手段）
１０  …  立体的表示ユニット（立体的表示手段）
１１  …  液晶ディスプレイパネル
２１  …  バックライト機構
１２５  …  シグナルジェネレータ（表示制御手段）
１３６  …  ＣＰＵ（第一位置検出手段、第二位置検出手段、測距手段）
１３７  …  Ｉ／Ｏポート（転送手段）
１３８  …  赤外線通信部（転送手段）
【図１】
2005073038.tif 000003
【図２】
2005073038.tif 000004
【図３】
2005073038.tif 000005
【図４】
2005073038.tif 000006
【図５】
2005073038.tif 000007
【図６】
2005073038.tif 000008
【図７】
2005073038.tif 000009
【図８】
2005073038.tif 000010
【図９】
2005073038.tif 000011
【図１０】
2005073038.tif 000012
【図１１】
2005073038.tif 000013
【図１２】
2005073038.tif 000014
【図１３】
2005073038.tif 000015